(57)【特許請求の範囲】
【請求項１】
少なくとも一つの反射面を持つプリズムをレンズ鏡筒前面に配置し、光軸を略９０度折り曲げるようような構成の撮像レンズにおいて、
プリズムの投影寸法外に記録再生部と電気基板とを重ね合わせて配し、プリズムの投影寸法内にレンズ構成部品としてのアクチュエータが収まるよう配したことを特徴とする撮像装置。
【請求項２】
撮像レンズとバッテリを並列に配置し表示部を重ね合わせた構成部分と、前記記録再生部と電気基板を重ね合わせた構成部分を、並列に配置したことを特徴とする請求項１に記載の撮像装置。
【請求項３】
撮像レンズと表示部を重ね合わせて配置し前記撮像レンズと表示部の寸法差がある部分にバッテリを配置した構成部分と、記録再生部を並列に配置したことを特徴とする請求項１に記載の撮像装置。
【請求項４】
撮像レンズと表示部を重ね合わせて配置した構成部分の厚さと、記録再生部と電気基板を重ね合わせた構成部分の厚さが、略同一厚さであることを特徴とする請求項１に記載の撮像装置。
【請求項５】
表示部に対して撮像レンズ光軸が垂直になり表示部の表示領域内に撮像レンズ光軸があるように前記撮像レンズと表示部を配置した構成部分と、記録再生部を並列に配置したことを特徴とする請求項１に記載の撮像装置。
【請求項６】
撮像レンズと表示部を重ね合わせて配置した構成部分を前記表示部より見て向かって左に配置し、記録再生部は向かって右に配置したことを特徴とする請求項１に記載の撮像装置。
【請求項７】
撮像に用いるプリズムのミラー反射面と反対側の空間にマイクユニットを配置したことを特徴とする請求項１に記載の撮像装置。
【請求項８】
撮像に用いるプリズムのミラー反射面と反対側の空間に表示部の位置可変機構を配置したことを特徴とする請求項１に記載の撮像装置。
【請求項９】
撮像に用いるプリズムのミラー反射面と反対側の空間に防振ジャイロセンサを配置したことを特徴とする請求項１に記載の撮像装置。
【請求項１０】
撮像に用いるプリズムのミラー反射面と反対側の空間に表示部を配置したことを特徴とする請求項１に記載の撮像装置。
【請求項１１】
撮像に用いるプリズムのミラー反射面と反対側の空間に入出力端子を配置したことを特徴とする請求項１に記載の撮像装置。
【請求項１２】
撮像に用いるプリズムのミラー反射面と反対側の空間に操作スイッチを配置したことを特徴とする請求項１に記載の撮像装置。
【請求項１３】
撮像に用いるプリズムのミラー反射面と反対側の空間にスピーカーを配置したことを特徴とする請求項１に記載の撮像装置。
【請求項１４】
撮像に用いるプリズムのミラー反射面と反対側の空間に赤外リモコン受光部を配置したことを特徴とする請求項１に記載の撮像装置。
【請求項１５】
撮像レンズの空きスペースに三脚ネジを配置したことを特徴とする請求項１に記載の撮像装置。
【請求項１６】
撮像レンズ鏡筒と三脚ネジを平行に配置したことを特徴とする請求項１に記載の撮像装置。
【請求項１７】
撮像レンズのアクチュエータに対して並列に三脚ネジを配置したことを特徴とする請求項１に記載の撮像装置。
【発明の詳細な説明】
【０００１】
【発明の属する技術分野】
本発明は、ビデオ一体型ＶＴＲ等の撮像装置を小型軽量化するためのレイアウトに関するものである。
【０００２】
【従来の技術】
従来よりプリズムを鏡筒前面に取り付けて、光軸を９０度折り曲げる型の撮像レンズを用いて小形化した撮像装置の例は各種あるが、以下に代表的な例をいくつか順に挙げる。
【０００３】
従来例（１）
先ず、図２６は従来の撮像レンズの説明図であって、図２６（ａ）は上面図、（ｂ）は正面図、（ｃ）は側面図、（ｄ）は底面図である。図２６において、１００１はレンズ鏡筒、１００１ａは撮像素子取付部である。１００２は光軸を略９０度折り曲げるためのプリズム、１００２ａはプリズムの反射面、１００２ｂは入射面である。１００３はフォーカスモータ、１００４はズームモータ、１００５はＩＧメータであり、１００９は光軸である。
【０００４】
入射面１００２ｂよりプリズム１００２に入射した物体像（図示していない）は、反射面１００２ａにより略９０度、光軸を折り曲げられてレンズ鏡筒１００１に入射する。レンズ鏡筒１００１内ではズーム系レンズ（図示していない）がズームモータ１００４によって駆動され、撮像倍率が可変となる。更に、レンズ鏡筒内ではフォーカス系レンズ（図示していない）が、フォーカスモータ１００３により駆動され、ピント調整が行われ、物体像の露出はレンズ鏡筒１００１内の絞り（図示していない）を、ＩＧメータ１００５により駆動して最適に調節する。
【０００５】
図２７は、図２６に示した撮像レンズを用いた、従来例（１）に属する撮像装置の説明図であり、図２７（ａ）は上面図、（ｂ）は正面図、（ｃ）は側面図である。図中８０００は撮像装置外装、８００１は撮像レンズである。撮像レンズ８００１には撮像素子（図示していない）を取り付ける。８０１１は記録用ＶＴＲ、８０１２は電気基板、８０１３はバッテリ、８０１４は液晶ディスプレイである。８０７０はディスプレイ側の反射ミラーで、液晶ディスプレイ８０１４からの光線を９０度折り曲げる、８０３１は接眼レンズであって、液晶ディスプレイ８０１４を観察者（図示していない）はアイカップ８０３２に目を近付けて観察できる。８０１９はこの場合の光軸である。なお、反射ミラー８０７０を用いることによって撮像装置の全長を短縮している。また、８０９０はプリズム８００２の反射面８００２ａの反対側の空間に生ずるデッドスペース、８０９１は液晶ディスプレイ用の反射ミラー８０７０の反対側のデッドスペースである。
【０００６】
従来例（２）
次に、図２８は液晶ディスプレイ用の反射ミラーを使用しない、従来例（２）の撮像装置の説明図であり、図２８（ａ）は上面図、（ｂ）は正面図、（ｃ）は側面図である。なお、この場合のプリズム、レンズ鏡筒、ズームモータ、フォーカスモータ、ＩＧメータ等で構成する撮像レンズの付番は６００１としているが、これは図２６に示す従来例（１）の撮像レンズ系（１００１〜１００５）と同一構成である。
【０００７】
図２８中、６０００は撮像装置外装、６００１は撮像レンズである。撮像レンズ６００１には撮像素子（図示していない）を取り付ける。６０１１はＶＴＲ、６０１２は電気基板、６０１３はバッテリ、６０１４は液晶ディスプレイであり、６０３１は接眼レンズで、この場合は液晶ディスプレイ用の反射ミラーは用いていないので、観察者（図示していない）は液晶ディスプレイ６０１４をアイカップ６０３２に目を近付けて直接観察できる。なお、６０９０はプリズム６００２の反射面６００２ａの反対側のデッドスペースである。
【０００８】
従来例（３）
次に、図２９は撮像装置の外部に表示部を配置する型の、従来例（３）の場合の撮像装置の説明図であり、図２９（ａ）は上面図、（ｂ）は正面図、（ｃ）は側面図、（ｄ）はテープ挿入時の側面図である。なお、撮像レンズ系の構成は付番が５００１となっているが図２６に示す従来例（１），（２）の場合と同一構成である。
【０００９】
図２９中、５０００は撮像装置外装、５００１は撮像レンズであり撮像レンズには撮像素子（図示していない）を取り付ける。５０１１はＶＴＲ、５０１２は電気基板、５０１３はバッテリ、５０１４は表示部としての液晶ディスプレイであり、撮像装置の外部、背面に取り付けられている。図２９（ｄ）側面図の５０５０はＶＴＲ用テープである。図２９（ａ）上面図に示す、寸法Ｄｊは装置本体厚み寸法、Ａｊは液晶ディスプレイ５０１４のはみ出し厚み寸法、Ｂｊは撮像レンズのはみ出し部分の厚み寸法、Ｃｊはバッテリ５０１３のはみ出し厚み寸法である。
【００１０】
図３０は図２９に示した従来例（３）の撮像装置による撮影時を示す説明図であり、図３０（ａ）は上面図、（ｂ）は正面図である。図３０中、５００９は撮像レンズの光軸、５０１４ａは液晶ディスプレイの表示面、５０１９は液晶ディスプレイ表示面５０１４ａの中心線、５０３０は撮影者の右手である。
【００１１】
図３０に示すように、この撮像装置は上面から見て撮像レンズ光軸が、液晶ディスプレイの表示面５０１４ａに対して寸法Ｐｊで示すズレを持っている。
【００１２】
従来例（４）
図３１は三脚ネジを配した撮像装置の説明図であり、図３１（ａ）は上面図、（ｂ）は正面図、（ｃ）は側面図、（ｄ）はテープ挿入時の側面図である。図３１中、５０７０′は三脚ネジで、５０９０′は三脚ネジを締める場合の高さ方向のその近辺のデッドスペースである。５００１′は撮像レンズで、撮像レンズ系の構成は図１５と同一である。５０１１′はＶＴＲ、５０１２′は電気基板、５０１３′はバッテリ、５０１４′は表示部、５０１４ａ′は表示面である。
【００１３】
【発明が解決しようとする課題】
しかしながら、上記従来例において、従来例（１）の場合は、図２７に示すように、プリズムのミラー反射面８００２ａと反対側の空間にデッドスペース８０９０が存在し、液晶ディスプレイのための反射ミラー８０７０と反対側の空間にはデッドスペース８０９１が形成されるために、小型撮像装置の小型軽量化を阻害しているという問題がある。また、液晶ディスプレイ用の反射ミラー８０７０が必要なために、その分コストアップして撮像装置の低価格化を妨げているという問題がある。
【００１４】
また、図２６（ａ）の上面図に示すように、プリズム１００２の投影寸法である寸法、Ｗ×Ｄ、内からフォーカスモータ１００３、ズームモータ１００４、ＩＧメータ１００５アクチュエータ等のレンズ構成部品が一部分はみ出している。従ってこれら従来の撮像レンズを小型軽量の撮像装置に組み込む場合、プリズム１００２の投影寸法である寸法Ｗ×Ｄからレンズ構成部品がはみ出し、撮像装置の他の構成部品であるＶＴＲ８０１１、バッテリ８０１３、電気基板８０１２等と組み合わせてのレイアウトにおいて、プリズム投影からのはみ出し分がデッドスペースを形成して、小型撮像装置の小型軽量化を阻害しているという問題がある。
【００１５】
従来例（２）の場合は、図２９（ａ）の上面図に示すように、従来の撮像装置の主な本体寸法Ｄｊに対し、各部分の寸法Ａｊ，Ｂｊ，Ｃｊで各構成要素がはみ出して全体的に凹凸があるために、従来の撮像装置は鞄に収める時などの収納性が悪く、撮影者が携帯する際にも凹凸があるために携帯時の安定性に欠けて携帯性が悪い、更に装置全体の厚みが寸法Ａｊ＋Ｄｊ＋Ｃｊとなって分厚くなり、同じく収納性、携帯性を悪くしているという問題がある。
【００１６】
また操作性の面からも、図２９（ｄ）に示すようにＶＴＲカバーを開けてテープ５０５０を出し入れする際、撮像装置の側面より見て斜め下からテープを出し入れしなければならないので、撮像装置の底面部に三脚（図示していない）を取り付けて撮影する時には、テープの出し入れができなかったり、あるいは出し入れがしにくいといった、非常に操作性が悪いという問題がある。
【００１７】
更に、図３０に示すように、表示装置（液晶ディスプレイ５０１４）を撮像装置の外部に配置する例では、撮像レンズ光軸が液晶ディスプレイ表示面に対して寸法Ｐｊだけズレるので、撮影時のパラずれ（パララックスずれ）が大きいために、特に近くの被写体を撮影する際には撮影しづらく、非常に操作性が悪いという問題がある。
【００１８】
それに、図３０から分かるように、撮影者が撮像装置を保持した際に撮影者の右手親指部分が、液晶ディスプレイの画面を覆ってしまう形になって、液晶ディスプレイの表示面５０１４ａが撮影者の右手親指に隠れて見にくかったり、液晶ディスプレイの表示面５０１４ａが撮影者の指紋などで汚れて見にくくなったりと、非常に操作性が悪いと言う問題がある。かといって、撮影者の右手親指部分が液晶ディスプレイにかからないように保持することは、右手の保持が窮屈となり撮像装置の保持に関して非常に操作性が悪いという問題がある。
【００１９】
従来例（３）の場合は、図２８に示すように、プリズム６００２のミラー反射面６００２ａと反対側の空間にデッドスペース６０９０が形成されて、小型撮像装置の更なる小型軽量化を阻害しているという問題がある。
【００２０】
従来例（４）の場合は、図３１に示すように、三脚ネジ５０７０′は撮像装置の底面に位置して、ネジを締めるための長さが必要なために、図３１に示すようなｈ１の高さのスペースを要し、その分デッドスペース５０９０′が生じて小型撮像装置の小型軽量化を阻害しているという問題がある。
【００２１】
そこで、本発明の目的は、無駄なデッドスペースを無くして、撮像装置の小型軽量化、薄型化、携帯性の向上および収納性の向上を可能としてコストダウンを実現する撮像装置を提供することにある。
【００２６】
【課題を解決するための手段】
本出願に係る発明の目的を実現する構成は、少なくとも一つの反射面を持つプリズムをレンズ鏡筒前面に配置し、光軸を略９０度折り曲げるようような構成の撮像レンズにおいて、プリズムの投影寸法外に記録再生部と電気基板とを重ね合わせて配し、プリズムの投影寸法内にレンズ構成部品としてのアクチュエータが収まるよう配したことを特徴とする撮像装置にある。
【００３５】
この構成によれば、プリズムの投影範囲内にレンズ構成部品であるズームモータ、フォーカスモータ、ＩＧメータ等をハミ出さずに収めて、無駄なデッドスペースを形成しないレンズ系を構成することができる。
【００３７】
この構成によれば、プリズムの投影範囲内にレンズ構成部品を収めた撮像レンズを用いることによって、撮像装置の基板等の他の構成要素とのクリアランスをぎりぎりにレイアウトして、デッドスペースを無くすことができる。
【００３８】
本出願に係る発明の目的を実現する他の構成は、少なくとも一つの反射面を持つプリズムをレンズ鏡筒全面に配置し、光軸を略９０度折り曲げるような構成の撮像レンズを用いた撮像装置において、撮像レンズとバッテリを並列に配置し表示部を重ね合わせた構成部分と、記録再生部と電気基板を重ね合わせた構成部分を、並列に配置したことを特徴とする撮像装置にある。
【００３９】
この構成によれば、撮像レンズ、バッテリ、表示部等の各構成部分のはみ出しによる凹凸の外形状を、撮像レンズとバッテリを並べて表示部を重ねた部分に、記録再生部と電気基板を重ねた部分を並列に配置するレイアウトによって、凹凸の無いフラットな外形状に改善し撮像装置の薄型化を実現できる。
【００４０】
本出願に係る発明の目的を実現する他の構成は、少なくとも一つの反射面を持つプリズムをレンズ鏡筒全面に配置し、光軸を略９０度折り曲げるような構成の撮像レンズを用いた撮像装置において、撮像レンズと表示部を重ね合わせて配置し前記撮像レンズと表示部の寸法差がある部分にバッテリを配置した構成部分と、記録再生部を並列に配置したことを特徴とする撮像装置にある。
【００４１】
この構成によれば、凹凸外形状の撮像装置を、撮像レンズと表示部を重ねその寸法差のある部分にバッテリを配置し、それに記録再生部を並列に配置するレイアウトによって、凹凸の無いフラットな外形に改善し薄型化を実現できる。
【００４２】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像レンズと表示部を重ね合わせて配置した構成部分の厚さと、記録再生部と電気基板を重ね合わせた構成部分の厚さが略同一厚さであることを特徴とする撮像装置にある。
【００４３】
この構成によれば、撮像レンズと表示部を重ね合わせた部分の厚さと、記録再生部と電気基板を重ね合わせた部分の厚さが略同一厚さなので、双方を平行に配置すれば凹凸の無い外形状で薄型化された撮像装置を構成できる。
【００４４】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、表示部に対して撮像レンズ光軸が垂直になり表示部の表示領域内に撮像レンズ光軸があるように前記撮像レンズと表示部を配置した構成部分と、記録再生部を並列に配置したことを特徴とする撮像装置にある。
【００４５】
この構成によれば、凹凸の無い外形状を形成して薄型化を実現し、撮像レンズ光軸と液晶ディスプレイのパラずれを小さくすることができる。
【００４６】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像レンズと表示部を重ね合わせて配置した構成部分を前記表示部より見て向かって左に配置し、記録再生部は向かって右に配置したことを特徴とする撮像装置にある。
【００４７】
この構成によれば、凹凸の無い薄型化を達成し、撮像装置を保持する撮影者の右手親指が液晶ディスプレイの表示面を覆ったりする、右手親指による撮影上の問題点をなくすことができる。
【００４８】
本出願に係る発明の目的を実現する他の具体的な構成は、記録用媒体を出し入れする記録再生部カバーは撮像装置本体の左側または右側に配置して、前記撮像装置の長手方向に対し平行に左または右に開閉することを特徴とする請求項７乃至１１のうち１記載の撮像装置にある。
【００５０】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間にマイクユニットを配置したことを特徴とする撮像装置にある。
【００５１】
この構成によれば、プリズムの撮像用ミラー反射面と反対側の空間を有効利用して撮影時の音声ピックアップ用マイクユニットを配置し、デッドスペースを無くすことができる。
【００５２】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に表示部の位置可変機構を配置したことを特徴とする撮像装置にある。
【００５３】
この構成によれば、プリズムの撮像用ミラー反射面と反対側の空間を有効利用して、撮影の状況に応じて表示部の位置が変えられる表示部の位置可変機構を配置し、デッドスペースを無くすことができる。
【００５４】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に防振ジャイロセンサを配置したことを特徴とする撮像装置にある。
【００５５】
この構成によれば、プリズムの撮像用ミラー反射面と反対側の空間を有効利用して、撮像装置のパン方向とチルト方向の揺れを検出する防振ジャイロセンサを配置し、デッドスペースを無くすことができる。
【００５６】
本出願に係る発明を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に表示部を配置したことを特徴とする撮像装置にある。
【００５７】
この構成によれば、プリズムの撮像用ミラー反射面と反対側の空間を有効利用して、撮影情報等を表示できる表示部を配置しデッドスペースを無くすことができる。
【００５８】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に入出力端子を配置したことを特徴とする撮像装置にある。
【００５９】
この構成によれば、プリズムの撮像用ミラー反射面と反対側の空間を有効利用して、信号入出力用のマルチコネクタと電源入力端子などの入出力端子を配置して、デッドスペースを無くすことができる。
【００６０】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に操作スイッチを配置したことを特徴とする撮像装置にある。
【００６１】
この構成によれば、プリズムの撮像用ミラー反射面と反対側の空間を有効利用して、各種機能のコントロール用タクトスイッチ等の操作スイッチを配置して、デッドスペースを無くすことができる。
【００６２】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間にスピーカーを配置したことを特徴とする撮像装置にある。
【００６３】
この構成によれば、プリズムの撮像用ミラー反射面と反対側の空間を有効利用して、記録音声のモニタ等を可能にするスピーカーを配置して、デッドスペースを無くすことができる。
【００６４】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像に用いるプリズムのミラー反射面と反対側の空間に赤外リモコン受光部を配置したことを特徴とする撮像装置にある。
【００６５】
この構成によれば、プリズムの撮像用ミラー反射面と反対側の空間を有効利用して、リモコン用の受光素子とタリーランプを配置し、デッドスペースを無くすことができる。
【００６６】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像レンズの空きスペースに三脚ネジを配置したことを特徴とする撮像装置にある。
【００６７】
この構成によれば、撮像レンズの空きスペースを有効利用して、三脚ネジを締めるに要する長さのデッドスペースを無くすことができる。
【００６８】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像レンズ鏡筒と三脚ネジを平行に配置したことを特徴とする撮像装置にある。
【００６９】
この構成によれば、撮像レンズの空スペースを有効利用して、撮像レンズの鏡筒と三脚ネジを平行に配置して、三脚ネジを締めるに要する長さのデッドスペースを無くすことができる。
【００７０】
本出願に係る発明の目的を実現する他の構成は、少なくとも一つの反射面を持つプリズムをレンズ鏡筒前面に配置し、光軸を略９０度折り曲げるような構成の撮像レンズを用いた撮像装置において、撮像レンズのアクチュエータに対し並列に三脚ネジを配置したことを特徴とする撮像装置にある。
【００７１】
この構成によれば、撮像レンズの空きスペースを有効利用して、撮像レンズのズームモータ、フォーカスモータなどのアクチュエータに三脚ネジを並列に配置して、三脚ネジを締めるに要する長さのデッドスペースを無くすことができる。
【００７２】
【発明の実施の形態】
（第１の実施の形態）
以下、本発明の第１の実施の形態について図を参照して説明する。
図１〜図３は第１の実施の形態に係る図である。
図１は本発明の第１の実施の形態に係る撮像レンズの説明図である。
図２は図１に示す撮像レンズの斜視図である。
図３は図１に示す撮像レンズを用いた撮像装置の説明図である。
【００７３】
図１は、プリズムをレンズ鏡筒前面に配した撮像レンズの全体図であり、図１（ａ）は上面図、図１（ｂ）は正面図、図１（ｃ）は側面図、図１（ｄ）は底面図である。
【００７４】
図１において、１はレンズ鏡筒、１ａは撮像素子取付部である。２は光軸を略９０度折り曲げるためのプリズム、２ａはプリズムの反射面で２ｂはその入射面ある。プリズムの反射面２ａはアルミ又は銀などの可視光に対して、高反射率の金属をガラス材料でできているプリズムに蒸着して形成されている。よって、ミラーとしての機能は撮像用のプリズム側とその反対側の両面を持っている。３はフォーカスモータ、４はズームモータ、５はＩＧメータであり、９は撮像光軸である。上面図（ａ）に示す寸法Ｗ×Ｄはプリズム２の投影寸法である。
【００７５】
つぎに動作について説明する。
【００７６】
入射面２ｂより、プリズム２に入射した物体像（図示していない）は、反射面２ａにより略９０度光軸９が折り曲げられてレンズ鏡筒１に入射する。レンズ鏡筒内ではズーム系レンズ（図示していない）がズームモータ４により駆動され撮像倍率が可変となる。
【００７７】
また、レンズ鏡筒内ではフォーカス系レンズ（図示していない）が、フォーカスモータ３により駆動されピント調節が行われる。物体像の露出はレンズ鏡筒内の絞り（図示していない）をＩＧメータ５によって駆動し最適に調節する。
【００７８】
図２（ａ）には撮像レンズのプリズム２を外した状態を示し、図２（ｂ）にはプリズムを取付けた状態を示している。これらの図から明らかなように、撮像レンズの構成部品は全てプリズム２の投影寸法内に収まるように構成している。すなわち、図１（ａ）の上面図からも明らかなように、プリズム２の投影寸法である、Ｗ×Ｄ、の範囲内にフォーカスモータ３、ズームモータ４、ＩＧメータ５のアクチュエータ等のレンズ構成部品が収まるようになっている。
【００７９】
従って、本発明の撮像レンズをカムコーダ等と呼ばれる小型のビデオ一体型ＶＴＲ（小型撮像装置）に組み込む場合に、プリズムの投影寸法である、Ｗ×Ｄの範囲内にレンズ構成部品が完全に収まるために、小型撮像装置の他の構成部品であるレコーダユニット（又はＶＴＲ）やバッテリ、電気基板などと組合わせての全体的レイアウトにおいて、プリズム投影からのはみ出し分によるデッドスペースが発生しないように改善される。
【００８０】
図３には、こうした撮像レンズを用いた撮像装置の例を示す、図３（ａ）は上面図、図３（ｂ）は正面図、図３（ｃ）は側面図である。
【００８１】
図３中で、１００は撮像装置外装、１０１は撮像レンズ、１０１ａは撮像素子（図示していない）取付位置、１０２は撮像レンズ１０１のプリズムである。１０２ａはプリズムのミラー反射面、１１１は記録再生部のＶＴＲであり、これは半導体等の固体メモリ、ハードディスク、光記録体などの記録体を用いてもよい。１１１ａは記録再生部カバー、１１２は電気基板、１１３はバッテリ、１１４は表示部で液晶ディスプレイ、ＥＬ（Ｅ、ルミネッセンス）、ＰＤＰ（プラズマディスプレイ）などの平面型ディスプレイである。１１９は表示部光軸、１５０は着脱可能な記録媒体で、磁気テープ、半導体などの固体メモリ、ハードディスク、光記録媒体などの記録媒体である。そして全体的なレイアウトとしては、撮像レンズ１０１とバッテリ１１３を並列に配置した構成部分と、記録再生部１１１と電気基板１１２を重ね合せた構成部分とを、並列に配置している。
【００８２】
こうした撮像装置で、プリズムのミラー反射面１０２ａで表示部１１４からの光線を９０度折り曲げ、接眼レンズ１３１を介して観察者の目１８０は表示部１１４をアイカップ１３２に目を近付けることで観察できる。この場合、撮像光軸１０９と表示部の光軸１１９は略平行に配置される。
【００８３】
このように、本実施の形態によれば、図２７に示したような従来の撮像装置のレイアウトでは、デッドスペース８０９０，８０９１であった空間を有効利用することが可能になり、小型軽量化を阻害する無駄なデッドスペースを無くすことができる。従って、撮像装置のレイアウトでデッドスペースを極力排し、撮像装置の小型軽量化、薄型化、携帯性の向上、収納性の向上が可能になる。
【００８４】
また、表示部の反射ミラーが不要になるのでコストダウンが達成され、また表示部の光軸と表示部の光軸が略平行に配置されるので、パラずれのない撮影しやすく操作性の良い撮像装置を提供できる。
【００８５】
（第２の実施の形態）
次に本発明の第２の実施の形態について図を参照して説明する。
図４は本発明の第２の実施の形態に係る撮像装置の説明図である。
図４（ａ）は上面図、図４（ｂ）は正面図、図４（ｃ）は側面図である。
【００８６】
図４において、２００は撮像装置外装、２０１は撮像レンズ、２０１ａは撮像素子（図示していない）取付位置であり、この場合の撮像レンズ２０１は図１に示したはみ出しを無くした撮像レンズである。２０２は撮像レンズのプリズムである。２０２ａはプリズムのミラー反射面、２１１は記録再生部でＶＴＲ、半導体などの固体メモリ、ハードディスク、光記録媒体などの記録媒体を用いても構わない。２１２は電気基板、２１３はバッテリ、２１４は表示部で液晶ディスプレイ、ＥＬ、ＰＤＰなどの平面型ディスプレイである。２１９は表示部の光軸で図３の前実施例とは異なり撮像光軸とは直交となる。２５０は着脱可能な記録媒体で、磁気テープ、半導体などの固体メモリ、ハードディスク、光記録媒体などの記録媒体である。全体的なレイアウトとしては、撮像レンズ２０１とバッテリ２０３を並列に配置した構成部分に、記録再生部２１１と電気基板２１２を重ね合せた構成部分を、並列に配置している。
【００８７】
このような撮像装置で、プリズム２０２のミラー反射面２０２ａで表示部２１４からの光線を９０度折り曲げ、接眼レンズ２３１を介して観察者の目２８０は表示部２１４を、アイカップ２３２に目を近付けて観察できる。また、撮像光軸２０９に対し、図４（ｃ）の側面図ではっきり分かるように、表示部の光軸２１９は撮像光軸２０９とおおよそ直交する位置に配置している。
【００８８】
このように、第２の実施の形態では、図２７のような従来のデッドスペース８０９０，８０９１等の空間を有効利用することが可能になり、撮像装置の小型軽量化、薄型化、携帯性の向上、収納性の向上が可能になった。
【００８９】
また、表示部用の反射ミラーが不要になるのでコストダウンができ、また撮像光軸と表示部の光軸は略直交に配置されるので、撮影者にとってローアングル撮影がしやすく、操作性の良い撮像装置を提供できる。
【００９０】
（第３の実施の形態）
次に本発明の第３の実施の形態について図を参照して説明する。
図５は本発明の第３の実施の形態に係る撮像装置の説明図である。
図５（ａ）は上面図、図５（ｂ）は正面図、図５（ｃ）は側面図である。
【００９１】
図５において、３００は撮像装置外装、３０１は図１，２に示したような、構成部品のはみ出しを改善した前実施例と同一構成の撮像レンズ、撮像レンズ下端には撮像素子（図示していない）を取付ける。３０２は撮像レンズのプリズムである。３１１は記録再生部で、ＶＴＲ、半導体等の固体メモリ、ハードディスク、光記録媒体などの記録媒体でもよい。３１２は電気基板、３１３はバッテリ、３１４は表示部で液晶ディスプレイ、ＥＬ、ＰＤＰなどの平面型ディスプレイである。また、全体的なレイアウトでは、撮像装置の構成要素である、記録再生部３１１、バッテリ３１３、電気基板３１２、表示部３１４は外装面に対する凹凸形状を無くし、フラットで薄型化を図っている。
【００９２】
このような、第３の実施の形態によれば、図５（ａ）上面図に示すように、本発明の撮像レンズを用いることによって、レンズ構成部品のズームモータ等がプリズムの投影寸法である、Ｗ×Ｄの範囲内に収まっているので、撮像レンズ３０１と撮像装置の他の構成要素とのクリアランスが、ぎりぎりにレイアウトすることが可能になり、撮像装置のレイアウトにおいてデッドスペースが無くなり、撮像装置の小型軽量化、薄型化、携帯性の向上、収納性の向上が達成できる。
【００９３】
（第４の実施の形態）
次に本発明の第４の実施の形態について図を参照して説明する。
図６は本発明の第４の実施の形態に係る撮像装置の説明図である。
図６（ａ）は上面図、図６（ｂ）は正面図、図６（ｃ）は側面図である。
【００９４】
図６において、１００′は撮像装置外装、１０１′は図１，２に示した本発明の撮像レンズと同構成の撮像レンズ、撮像レンズ１０１′には撮像素子（図示していない）を取付ける。１０２′は撮像レンズのプリズムである。１１１′は記録再生部でＶＴＲ、半導体などの固体メモリ、ハードディスク、光記録媒体などの記録媒体を用いても構わない。１１２′は電気基板、１１３′はバッテリ、１１４′は表示部で液晶ディスプレイ、ＥＬ、ＰＤＰなどの平面型ディスプレイである。１１４ａ′は表示部の表示面、１１９′は液晶ディスプレイの表示面１１４ａ′の中心線、１５０′は着脱可能な記録媒体で磁気テープ、半導体などの固体メモリ、ハードディスク、光記録媒体などの記録媒体である。
【００９５】
こうした撮像装置で、全体的なレイアウトとしては、撮像レンズ１０１′とバッテリ１１３′を並列に配置し、それに表示部１１４′を重ね合わせた構成部分と、記録再生部１１１′と電気基板１１２′を重ね合わせた構成部分とを、並列に配置している。そして、図６（ａ）の上面図に示す寸法、Ｄ１内に、撮像装置の構成要素である記録再生部１１１′、バッテリ１１３′、電気基板１１２′、表示部１１４′が収まり外形各面とも凹凸の無い形状にしている。従って、図２９に示した従来の撮像装置のように外形上の凹凸があるために、鞄に収める時の収納性が悪い点は改善された。また、携帯時も凹凸が無くなったので安定性が良くなり、携帯性も良くなった。また従来の撮像装置は厚さが、Ａｊ＋Ｄｊ＋Ｃｊと非常に分厚く収納性、携帯性の悪いものであったが、本実施の形態では、厚さも寸法、Ｄ１に収まるので薄型化が達成され、収納性、携帯性の良いものになった。
【００９６】
また、図６（ａ）上面図に示すように、記録媒体１５０′は記録再生部カバー１１１ａ′を開けて側面から着脱可能になっている。従来の撮像装置では側面から見て斜め下よりテープの出し入れをする必要があったため、撮像装置の底面部に三脚（図示していない）を取り付けた時に、テープの出し入れができなかったり、出し入れしにくかったりといった、操作性の悪さが本実施の形態のレイアウトによって解消された。
【００９７】
更に、撮像レンズ光軸１０９が、液晶ディスプレイの表示面１１４ａの画面横方向の寸法、Ｘ１、縦方向の寸法、Ｙ１、の範囲内、つまり撮像レンズの光軸が表示部の表示領域内になるよう配置されている。従って、撮像レンズ光軸と、液晶ディスプレイの表示面とのパラずれは、寸法Ｐ１、で示すようにズレが小さいので、パラずれが小さく特に近くの被写体を撮影する際に、撮影がしやすく非常に操作性がよくなった。
【００９８】
図７は図６に示す撮像装置の撮影時の説明図である。
図７（ａ）は上面図、図７（ｂ）は正面図である。図中、１０９′は撮像レンズ光軸、１１４ａ′は液晶ディスプレイの表示面、１１９′は液晶ディスプレイの表示面１１４ａ′の中心線、１３０′は撮影者の右手である。
【００９９】
図７（ａ）のように、撮影者が本発明の撮像装置を保持した時に、液晶ディスプレイから撮像装置側面までの距離、Ｔ１が記録再生部の長さと同じだけ確保されているので、撮影者の右手親指部分１３０′が液晶ディスプレイ表示面にかかることはなく、図３０の従来例のように、撮影者の右手親指によって液晶ディスプレイの表示面１１４ａ′が隠れてみにくかったり、液晶ディスプレイの表示面１１４ａ′が撮影者の右手親指の指紋などで汚れたり、見にくくなったりすることがなく、非常に操作性が良くなっている。
【０１００】
また、図７（ｂ）の正面図に示すように、プリズム１０２′から撮像装置側面までの距離Ｔ２が記録再生部１１１′の長さとほぼ同じ寸法で確保されるため、右手１３０′の親指以外の４本指がプリズム１０２′にかかることなく、撮影時に手指が写ってしまうといったこともなく、非常に操作性のよい撮像装置を提供することができる。
【０１０１】
（第５の実施の形態）
次に、本発明の第５の実施の形態について図を参照して説明する。
図８は本発明の第５の実施の形態に係る撮像装置の説明図である。
図８（ａ）は上面図、図８（ｂ）は正面図、図８（ｃ）は側面図である。
【０１０２】
図８において、２００′は撮像装置外装、２０１′は図１，２の撮像レンズと同構成の撮像レンズであり、撮像レンズには撮像素子（図示していない）を取り付ける。２０２′は撮像レンズのプリズムである。２１１′はＶＴＲ、半導体などの固体メモリ、ハードディスク、光記録媒体などの記録媒体を用いても構わない。２１２′は電気基板、２１３′はバッテリ、２１４′は表示部で、液晶ディスプレイ、ＥＬ、ＰＤＰなどの平面型ディスプレイである。２１４ａ′は表示部の表示面、２１９′は液晶ディスプレイ表示面２１４ａ′の中心線である。２５０´は着脱可能な記録媒体で、磁気テープ、半導体などの固体メモリ、ハードディスク、光記録媒体などの記録媒体である。
【０１０３】
本実施の形態の場合のレイアウトとしては、撮像レンズ２０１′と表示部２１４′を重ね合わせて配置し、撮像レンズ２０１′と表示部２１４′との寸法差がある「Ｘ２−Ｗ２」の部分に、バッテリ２１３′を配置し、それに記録再生部２１１′を並列に接続して構成している。この場合の記録再生部２１１′の位置は図６の場合と反対で表示部側になっている。
【０１０４】
このような、本実施の形態によれば、前実施の形態と同様に図８（ａ）の上面図に示すように、各構成要素は寸法、Ｄ２内に収納されて各面の凹凸は無い状態で、収納性、携帯性が良くなっている。
【０１０５】
また、記録媒体２５０′は記録再生部カバー２１１ａ′を図７とは逆に左開きにして着脱可能になっている。これによって三脚（図示していない）使用時にも着脱に支障はない。
【０１０６】
また、撮像レンズ光軸２０９′が、液晶ディスプレイの表示面２１４ａ′の画面横方向の寸法Ｘ２、縦方向の寸法Ｙ２の範囲内、つまり撮像レンズの光軸が表示部の表示領域内にある。従って、パラずれが小さく特に近くの被写体撮影が容易で操作性がよくなっている。
【０１０７】
（第６の実施の形態）
次に、本発明の第６の実施の形態について図を参照して説明する。
図９は本発明の第６の実施の形態に係る撮像装置の説明図である。
図９（ａ）は上面図、図９（ｂ）は正面図、図９（ｃ）は側面図である。
【０１０８】
図９において、３００′は撮像装置外装、３０１′は図１，２の撮像レンズと同構成の撮像レンズであり、これに撮像素子（図示していない）が取り付けられる。３０２′はプリズムである。３１１′は記録再生部でＶＴＲ、半導体などの固体メモリ、ハードディスク、光記録媒体などの記録媒体を用いても構わない。３１２′は電気基板、３１３′はバッテリ、３１４′は表示部、３１４ａ′は表示面、３１９′は液晶ディスプレイの表示面３１４ａ′の中心線、３５０′は磁気テープ等の記録媒体である。
【０１０９】
本実施の形態の場合のレイアウトは、撮像レンズ３０１′と表示部３１４′を重ね合わせて配置した構成部分の厚さＧと、記録再生部３１１′と電気基板３１２′を重ね合わせた構成部分の厚さＲが略同一厚さであり、それらを並列に配置して構成している。従って、寸法Ｄ３の範囲内に他の構成要素が全て収まり各面とも凹凸の無い形状となっている。
【０１１０】
このような、第６の実施の形態によれば、各面凹凸がなく厚さも寸法Ｄ３に収まるので、薄型化が実現でき収納性、携帯性が良くなる。
【０１１１】
また、記録媒体３５０′は図９（ａ）の上面図のように、記録再生部カバー３１１ａ′を右側面から右側に開けて着脱可能なので、三脚撮影時でも磁気テープ等の記録媒体の出し入れは支障がない。
【０１１２】
撮像レンズ光軸３０９′が液晶ディスプレイの表示面３１４ａ′の画面横方向の寸法Ｘ３、縦方向の寸法Ｙ３の範囲内、つまり撮像レンズの光軸が表示部の表示領域内にあって、パラずれが小さく、特に近い被写体の撮影がしやすく操作性が良い。
【０１１３】
（第７の実施の形態）
次に、本発明の第７の実施の形態について図を参照して説明する。
図１０は本発明の第７の実施の形態に係る撮像装置の説明図である。
図１０（ａ）は上面図、図１０（ｂ）は正面図、図１０（ｃ）は側面図である。
【０１１４】
図１０において、４００は撮像装置外装、４０１は図１，２に示した本発明の撮像レンズと同構成の撮像レンズ、これには撮像素子（図示していない）を取り付ける。４０２は撮像レンズのプリズムである。４１１は記録再生部でＶＴＲ、固体メモリ、ハードディスク、光記録媒体などの記録媒体を用いても構わない。４１２は電気基板、４１３はバッテリ、４１４は表示部で液晶ディスプレイ、ＥＬ、ＰＤＰ等のディスプレイである。４１４ａは表示面、４１９は液晶ディスプレイの表示面４１４ａの中心線、４５０は記録媒体である。
【０１１５】
本実施の形態のレイアウトは、撮像レンズ４０１と表示部４１４を重ね合わせて配置した構成部分を、表示部４１４より見て向かって左に配置し、記録再生部４１１を向かって右に配置する構成としている。従って、図１０（ａ）の上面図のように、表示部４１４側に記録再生部４１１が並ぶレイアウトとなる。
【０１１６】
また、厚さ寸法Ｄ４の範囲内に他の構成要素が収まり各面の凹凸が無くなるので、薄型化が達成され、収納性、携帯性が向上する。
【０１１７】
記録媒体４５０は記録再生部カバー４１１ａを側面左側に開けて着脱可能なので、三脚撮影時でも記録媒体４５０の出し入れは支障なくなる。
【０１１８】
また、撮像レンズの光軸４０９と液晶ディスプレイの表示面４１４ａの中心４１９とのパラずれが小さく、特に近くの被写体の撮影がしやすく、操作性が非常によい。
【０１１９】
図１１は図１０に示す撮像装置の撮影時の説明図である。
図１１（ａ）は上面図、図１１（ｂ）は正面図である。図中、４０９は撮像レンズ光軸、４３０は撮影者の右手である。図１１（ａ）の上面図に示すように、撮像レンズ４０１と表示部４１４を重ね合わせた構成部分を表示部４１４より見て向かって左に配置し、記録再生部４１１を向かって右に配置しているので、本実施の形態によれば、撮影者が図１１の撮像装置を保持した際に、液晶ディスプレイ４１１から撮像装置側面までの距離Ｔ４が記録再生部４１１とほぼ同寸法を確保しているので、撮影者の右手親指４３０の部分が、液晶ディスプレイにかかることはなく、液晶ディスプレイの表示面が指で隠れたり、指紋で汚れて見にくくなることもなく、また、撮影者が液晶ディスプレイに指が掛らないように気を付けても、右手による保持が窮屈になることもなく、非常に操作性が良くなる。
【０１２０】
また、図１１（ｂ）の正面図から見て、プリズム４０２から撮像装置側面までの距離Ｔ５が記録再生部４１１とほぽ同じ寸法を確保しているので、右手の親指以外の４本指がプリズム４０２にかかることもなく、撮影時に手指が写ってしまうことがなく、操作性の良い撮像装置を提供できる。
【０１２１】
（第８の実施の形態）
次に本発明の第８の実施の形態について図を参照して説明する。
図１２は本発明の第８の実施の形態に係る撮像装置の説明図である。
図１２（ａ）は上面図、図１２（ｂ）は正面図、図１２（ｃ）は側面図である。
【０１２２】
図１２において、１００″は撮像装置外装、１０１″は図１，２に示した撮像レンズと同構成の撮像レンズ、１０１ａ″には撮像素子（図示していない）を取り付ける。１０２″は撮像レンズのプリズムである。１０２ａ″はプリズムのミラー反射面である。１１１″は記録再生部でＶＴＲ、固体メモリ、ハードディスク、光記録媒体などの、記録媒体を用いても構わない。１１２″は電気基板、１１３″はバッテリ、１１４″は表示部で、液晶ディスプレイ、ＥＬ、ＰＤＰなどである。１１４ａ″は表示部の表示面、１１９″はデイスプレイの表示面１１４ａ″の中心線、１５０″は着脱可能な記録媒体である。
【０１２３】
撮像レンズ１０１″とバッテリ１０３″を並列に配置し、表示部１１４″を重ね合わせて、それに記録再生部１１１″と電気基板１１２″を重ね合わせた部分を並列に配置している。
【０１２４】
１６０″はマイクユニットであり、撮影時の音声のピックアップを行うためのものである。マイクユニット１６０″は、撮像に用いるプリズムのミラー反射面１０２ａ″と反対側の空間に配置されている。
【０１２５】
このように、第８の実施の形態によれば、図２８に示した従来例ではデッドスペース６０９０となっていた空間が、マイクユニットを配置して有効利用するというレイアウトによって、デッドスペースが解消され撮像装置の小型軽量化、薄型化の実現と、携帯性の向上と収納性の向上が可能になった。
【０１２６】
（第９の実施の形態）
次に、本発明の第９の実施の形態について図を参照して説明する。
図１３は本発明の第９の実施の形態に係る撮像装置の説明図である。
図１３（ａ）は上面図、図１３（ｂ）は正面図、図１３（ｃ）は側面図、図１３（ｄ）は表示部の移動時の側面図である。
【０１２７】
図１３において、２００″は撮像装置外装、２０１″は図１，図２に示した本発明の撮像レンズと同構成の撮像レンズ、２０１ａ″には撮像素子（図示していない）が取り付けられる。２０２″は撮像レンズのプリズム、２０２ａ″はプリズムのミラー反射面てある。２１１″は記録再生部でＶＴＲ，固体メモリ、ハードディスク、光記録媒体などの記録媒体を用いても構わない。２１２″は電気基板、２１３″はバッテリ、２１４″は表示部で液晶ディスプレイ、ＥＬ、ＰＤＰなどの平面型ディスプレイである。２１４ａ″はその表示面、２１９″は表示面２１４ａ″の中心線、２１４ｂ″は表示部外装、２５０″は着脱可能な記録媒体で磁気テープ、固体メモリ、ハードディスク、光記録媒体などの記録媒体である。
【０１２８】
全体的には撮像レンズ２０１″とバッテリ２０３″を並列に配置して、それに表示部２１４″を重ね合わせた構成部分に、記録再生部２１１″と電気基板２１２″を重ねた構成部分とを並列に配置している。
【０１２９】
それに、図１３（ｄ）の移動時の側面図に示すような、表示部の位置変更機構２６０″を、プリズムの撮像に用いるミラー反射面２０２ａ″と反対側の空間に配置している。位置可変機構２６０″によって撮影者（図示していない）は、ハイアングル撮影、ローアングル撮影など撮影の状況に応じて表示部の位置を変えることが可能となる。
【０１３０】
このように、第９の実施の形態によれば、図２８に示した従来例ではデッドスペース６０９０であった空間が、表示部の位置変更機構２６０″を配置して有効利用するというレイアウトによって、デッドスペースが解消されて撮像装置の小型軽量化と薄型化が実現でき、携帯性の向上と収納性の向上が可能になった。
【０１３１】
（第１０の実施の形態）
次に、本発明の第１０の実施の形態について図を参照して説明する。
図１４は本発明の第１０の実施の形態に係る撮像装置の説明図である。
図１４（ａ）は上面図、図１４（ｂ）は正面図、図１４（ｃ）は側面図、図１４（ｄ）は揺れ検出手段の正面図である。
【０１３２】
図１４において、３００″は撮像装置外装、３０１″は図１，２の撮像レンズと同構成の撮像レンズ、３０１ａ″には撮像素子（図示していない）が取り付けられる。３０２″は撮像レンズのプリズムである。３０２ａ″はプリズムのミラー反射面である。３１１″は記録再生部でＶＴＲ、半導体などの固体メモリ、ハードディスク、光記録媒体などの記録媒体を用いても構わない。３１２″は電気基板、３１３″はバッテリ、３１４″は表示部で液晶ディスプレイ、ＥＬ、ＰＤＰなどの平面型ディスプレイである。３１４ａ″はその表示面、３１９″は表示面３１４ａ″の中心線、３５０″は着脱可能な記録媒体で、磁気テープ、固体メモリ、ハードディスク、光記録媒体などの記録媒体である。
【０１３３】
全体的には、撮像レンズ３０１″とバッテリ３０３″を並列に配置し、それに表示部３１４″を重ね合わせて配置した構成部分に、記録再生部３１１″と電気基板３１２″を重ね合わせた構成部分を並列に配置している。
【０１３４】
それに、振動ジャイロ等の角速度センサからなる、撮像装置の揺れを検出するための揺れ検出手段（３６０ａ″、３６０ｂ″）の実装基板３６１″を、デッドスペースとなっていた、プリズムの撮像に用いるミラー反射面３０２ａ″と反対側の空間に配置している。
【０１３５】
撮像装置の揺れ検出手段３６０ａ″，３６０ｂ″は図１４（ｄ）の揺れ手段の正面図に示すように、３６０ａ″によってチルト方向を、３６０ｂ″によってパン方向の検出を行うように、お互いに直交するように実装されている。また、撮像装置の横辺に対し揺れ検出手段３６０ａ″は平行に、縦辺に対し３６０ｂ″は平行に実装されている。
【０１３６】
このように、第１０の実施の形態によれば、図２８に示した従来例でデッドスペース６０９０となっていた空間が、揺れ検出手段を配置して有効利用するレイアウトによって、デッドスペースが解消され撮像装置の小型軽量化と薄型化が実現でき、携帯性の向上と収納性の向上が可能になった。
【０１３７】
（第１１の実施の形態）
次に、本発明の第１１の実施の形態について図を参照して説明する。
図１５は本発明の第１１の実施の形態に係る撮像装置の説明図である。
図１５（ａ）は上面図、図１５（ｂ）は正面図、図１５（ｃ）は側面図である。
【０１３８】
図１５において、４００′は撮像装置外装、４０１′は図１，２に示した撮像レンズと同構成の撮像レンズ、４０１ａ′には撮像素子（図示していない）を取り付ける。４０２′は撮像レンズのプリズム、４０２ａ′はプリズムのミラー反射面、４１１′は記録再生部でＶＴＲ、固体メモリ、ハードディスク、光記録媒体などの記録媒体を用いても構わない。４１２′は電気基板、４１３′はバッテリ、４１４′は表示部で液晶ディスプレイ、ＥＬ、ＰＤＰなどの平面型ディスプレイである。４１４ａ′はその表示面、４１９′は表示面４１４ａ′の中心線、４５０′は着脱可能な記録媒体で磁気テープ、固体メモリ、ハードディスク、光記録媒体等の記録媒体である。
【０１３９】
全体的には、撮像レンズ４０１′とバッテリ４１３′を並列にして、表示部４１４′を重ね合わせた構成に、記録再生部４１１′と電気基板４１２′を重ね合わせた構成を並列に配置している。
【０１４０】
それに、液晶ディスプレイ、ＥＬ、ＰＤＰなどの平面型ディスプレイで、撮像装置の動作状態や記録媒体の情報を撮影者が確認できるように表示する表示部（第２）４６０′を、デッドスペースとなっていた、プリズムの撮像に用いるミラー反射面４０２ａ′と反対側の空間に配置している。なお、表示部（第２）４６０′は撮像装置で撮像した映像の表示を行ってもよいことは勿論である。
【０１４１】
このように、第１１の実施の形態によれば、図２８に示した従来例ではデッドスペース６０９０となっていた空間を、第２の表示部を配置して有効利用することによって、デッドスペースを解消して、撮像装置の小型軽量化と薄型化が実現でき、携帯性の向上と収納性の向上が可能になった。
【０１４２】
（第１２の実施の形態）
次に、本発明の第１２の実施の形態について図を参照して説明する。
図１６は本発明の第１２の実施の形態に係る撮像装置の説明図である。
図１６（ａ）は上面図、図１６（ｂ）は正面図、図１６（ｃ）は側面図である。
【０１４３】
図１６において、５００は撮像装置外装、５０１は図１，２に示した撮像レンズと同構成の撮像レンズ、５０１ａには撮像素子（図示していない）を取り付ける。５０２は撮像レンズのプリズムである。５０２ａはプリズムのミラー反射面である。５１１はＶＴＲなどの記録再生部、５１２は電気基板、５１３はバッテリ、５１４は液晶ディスプレイ、ＥＬ等の表示部、５１４ａはその表示面、５１９は表示面５１４ａの中心線、５５０は着脱可能な磁気テープ等の記録媒体である。
【０１４４】
全体的には、撮像レンズ５０１とバッテリ５１３を並列にして表示部５１４を重ね合わせた構成に、記録再生部５１１と電気基板５１２を重ね合わせた構成部分を並列に配置している。
【０１４５】
それに、撮像装置の映像信号と制御信号を、外部マルチコネクタ端子５７０ａと電気的、機械的に接続されて、入出力することが可能なマルチコネクタ５６０ａと、外部電源供給端子５７０ｂに接続して撮像装置に電源を供給するための電源入力端子５６０ｂとを、デッドスペースとなっていた、プリズムの撮像に用いるミラー反射面と反対側の空間に配置している。
【０１４６】
このように、第１２の実施の形態によれば、図２８の従来例ではデッドスペース６０９０となっていた空間に、信号、電源等の入出力端子を配置して有効利用するレイアウトによって、デッドスペースを解消し撮像装置の小型軽量化と薄型化が実現でき、携帯性の向上と収納性の向上が可能になった。
【０１４７】
（第１３の実施の形態）
次に、第１３の実施の形態について図を参照して説明する。
図１７は本発明の第１３の実施の形態に係る撮像装置の説明図である。
図１７（ａ）は上面図、図１７（ｂ）は正面図、図１７（ｃ）は側面図である。
【０１４８】
図１７において、６００は撮像装置外装、６０１は図１，２に示した撮像レンズと同構成の撮像レンズ、６０１ａには撮像素子（図示していない）を取り付ける。６０２は撮像レンズのプリズムである。６０２ａはプリズムのミラー反射面である。６１１はＶＴＲ等の記録再生部、６１２は電気基板、６１３はバッテリ、６１４は液晶ディスプレイ等の表示部、６１４ａはその表示面、６１９は表示面６１４ａの中心線、６５０は磁気テープ等の着脱可能な記録媒体である。
【０１４９】
全体的には、撮像レンズ６０１とバッテリ６１３を並列に、それに表示部６１４を重ね合わせた構成部分に、記録再生部６１１と電気基板６１２を重ね合わせた構成部分を並列に配置している。
【０１５０】
それに、操作ツマミ６６０ａを取り付けたタクトスイッチ６６０ｂ（操作スイッチ）を実装した基板６６１を、デッドスペースとなっていた、プリズムの撮像に用いるミラー反射面６０２ａと反対側の空間に配置している。
【０１５１】
このような、第１３の実施の形態によれば、図２８に示した従来例ではデッドスペース６０９０となっていた空間に、操作スイッチ６６１を配置して有効利用するというレイアウトによつて、デッドスペースを解消し撮像装置の小型軽量化と薄型化が実現でき、携帯性の向上と収納性の向上が可能になった。
【０１５２】
（第１４の実施の形態）
次に、本発明の第１４の実施の形態について図を参照して説明する。
図１８は本発明の第１４の実施の形態に係る撮像装置の説明図である。
図１８（ａ）は上面図、図１８（ｂ）は正面図、図１８（ｃ）は側面図である。
【０１５３】
図１８において、７００は撮像装置外装、７０１は図１，２に示した撮像レンズと同構成の撮像レンズである。７０１ａには撮像素子（図示していない）を取り付ける。７０２は撮像レンズのプリズムである。７０２ａはプリズムのミラー反射面である。７１１はＶＴＲ等の記録再生部、７１２は電気基板、７１３はバッテリ、７１４は液晶ディスプレイ等の表示部、７１４ａはその表示面、７１９は表示面７１４ａの中心線、７５０は磁気テープ等の着脱可能な記録媒体である。
【０１５４】
全体的には、撮像レンズ７０１とバッテリ７１３を並列にして、表示部７１４を重ね合わせた構成に、記録再生部７１１と電気基板７１２を重ねたものを、並列に配置している。
【０１５５】
それに、記録媒体に記録した音声を撮影者がモニタできるスピーカー７６０を、プリズムの撮像に用いるミラー反射面と反対側の空間に配置している。
【０１５６】
このような、第１４の実施の形態によれば、図２８に示した従来例ではデッドスペース６０９０になっていた空間に、スピーカー７６０を配置して有効利用するレイアウトによって、デッドスペースを解消し撮像装置の小型軽量化と薄型化が実現でき、携帯性の向上と収納性の向上が可能になった。
【０１５７】
（第１５の実施の形態）
次に、第１５の実施の形態について図を参照して説明する。
図１９は本発明の第１５の実施の形態に係る撮像装置の説明図である。
図１９（ａ）は上面図、図１９（ｂ）は正面図、図１９（ｃ）は側面図である。
【０１５８】
図１９において、８００は撮像装置外装、８０１は図１，２に示した撮像レンズと同構成の撮像レンズ、８０１ａには撮像素子（図示していない）を取り付ける。８０２は撮像レンズのプリズムである。８０２ａはプリズムのミラー反射面である。８１１はＶＴＲ等の記録再生部、８１２は電気基板、８１３はバッテリ、８１４は液晶ディスブレイ等の表示部、８１４ａはその表示面、８１９は表示面８１４ａの中心線、８５０は磁気テープ等の着脱可能な記録媒体である。
【０１５９】
全体的には、撮像レンズ８０１とバッテリ８１３を並列にして、表示部８１４を重ね合わせた構成に、記録再生部８１１と電気基板８１２を重ね合わせた構成を並列に配置している。
【０１６０】
それに、赤外リモコン受光部８６０とタリーランプ８６１を、プリズムの撮像に用いるミラー反射面と反対側の空間に配置している。
【０１６１】
このような、第１５の実施の形態によれば、図２８に示した従来例ではデッドスペース６０９０であった空間に、赤外リモコン受光部を配置してデッドスペースを有効利用するレイアウトによって、デッドスペースを解消し撮像装置の小型軽量化と薄型化を実現でき、携帯性の向上と収納性の向上が可能になった。
【０１６２】
（第１６の実施の形態）
次に、本発明の第１６の実施の形態について図を参照して説明する。
図２０は本発明の第１６の実施の形態に係る撮像装置の説明図である。
図２０（ａ）は上面図、図２０（ｂ）は正面図、図２０（ｃ）は側面図である。図２１は図２０に示す撮像装置の撮像レンズの説明図である。
図２１（ａ）は上面図、図２１（ｂ）は正面図、図２１（ｃ）は側面図、図２１（ｄ）は底面図である。
図２２は図２０の撮像装置に三脚を取り付けた場合の説明図である。
【０１６３】
図２０において、８２０は撮像装置外装、８２１は図２１に示した撮像レンズで、空きスペース８４８を有している。撮像レンズには撮像素子（図示していない）を取り付ける。８２２は撮像レンズのプリズム、８２３はフォーカスモータ、８２４はズームモータ、８２５はＩＧメータである。８３１はＶＴＲ等の記録再生部、８３２は電気基板、８３３はバッテリ、８３４は液晶ディスプレイ等の表示部、８３４ａはその表示面、８３９は表示面８３４ａの中心線、８５０は磁気テープ等の記録媒体である。
【０１６４】
全体的には撮像レンズ８２１とバッテリ８３３を平行に、それに表示部８３４を重ね合わせた構成に、記録再生部８３１と電気基板８３２を重ね合わせた構成を平列に配置している。
【０１６５】
それに、三脚ネジ８７０を、図２１に示すような撮像レンズ８２１の空きスペース８４８に収まるように底面に配置している。図２２は撮像装置に三脚ネジ８７０を介して、三脚８７５を取り付けた状態を示している。
【０１６６】
このような、第１６の実施の形態によれば、撮像装置の底面に位置しネジを締めるための長さが必要なためのスペースを、撮像レンズの空きスペース８４８を有効利用することにより確保し、図３１に示した従来例でのデッドスペース５０９０´は解消され、撮像装置の低背化、小型化が達成されて、図２２に示すように三脚８７５を取付けた時も倒れにくく安定した保持が可能となった。
【０１６７】
（第１７の実施の形態）
次に、本発明の第１７の実施の形態について図を参照して説明する。
図２３は本発明の第１７の実施の形態に係る撮像装置の説明図である。
図２３（ａ）は上面図、図２３（ｂ）は正面図、図２３（ｃ）は側面図である。図２３において、８８０は撮像装置外装、８８１は図２１に示したような撮像レンズ、撮像レンズには撮像素子（図示していない）を取付ける。８８２は撮像レンズのプリズム、８８３はフォーカスモータ、８８４はズームモータ、８８５はＩＧメータである。８９１はＶＴＲ等の記録再生部である。８９２は電気基板、８９３はバッテリ、８９４は液晶ディスプレイ等の表示部、８９４ａはその表示面、８９９は表示面８９４ａの中心線、８５０は磁気ープ等の記録媒体である。
【０１６８】
本実施の形態では、三脚ネジ８７１を図２１に示す撮像レンズ鏡筒８４１と平行に配置している。
【０１６９】
このような第１７の実施の形態によれば、三脚ネジ８７１を、撮像装置の底面に位置してネジを締めるために必要な長さのスペースを、撮像レンズ鏡筒と平行に配置し撮像レンズの空きスペース８４８を有効利用することにより確保し、従来例のデッドスペース５０９０´を解消して、撮像装置の低背化、小型化を可能にした。
【０１７０】
（第１８の実施の形態）
次に、本発明の第１８の実施の形態について図を参照して説明する。
図２４は本発明の第１８の実施の形態に係る撮像装置の説明図である。
図２４（ａ）は上面図、図２４（ｂ）は正面図、図２４（ｃ）は側面図である。
【０１７１】
図２４において、９００は撮像装置外装、９０１は図２１に示すような撮像レンズ、撮像レンズには撮像素子（図示していない）を取付ける。９０２は撮像レンズのプリズム、９０３はフォーカスモータ、９０４はズームモータ、９０５はＩＧメータである。９１１はＶＴＲ等の記録再生部、９１２は電気基板、９１３はバッテリ、９１４は液晶ディスプレイ等の表示部、９１４ａはその表示面、９１９は表示面９１４ａの中心線、９５０は磁気テープ等の記録媒体である。
【０１７２】
本実施の形態では、三脚ネジ９７０を撮像レンズのズームモータ９０４、フォーカスモータ９０３といったアクチュエータに対し並列に配置している。
【０１７３】
このような第１８の実施の形態によれば、三脚ネジ９７０を、撮像装置の底面に位置してネジを締めるために必要な長さのスペースを、撮像レンズのアクチュエータに対し並列に配置して、撮像レンズの空きスペース８４８を有効利用することにより確保し、従来例のデッドスペース５０９０´を解消して撮像装置の低背化、小形化が可能になった。
【０１７４】
（第１９の実施の形態）
次に、本発明の第１９の実施の形態について図を参照して説明する。
図２５は本発明の第１９の実施の形態に係る撮像装置の説明図である。
図２５（ａ）は上面図、図２５（ｂ）は正面図、図２５（ｃ）は側面図である。
【０１７５】
図２５において、９２０は撮像装置外装、９２１は図２１に示したような撮像レンズ、撮像レンズには撮像素子（図示していない）を取り付ける。９２２は撮像レンズのプリズム、９２３はフォーカスモータ、９２４はズームモータ、９２５はＩＧメータである。９３１はＶＴＲ等の記録再生部、９３２は電気基板、９３３はバッテリ、９３４は液晶ディスプレイ等の表示部、９３４ａはその表示面で、９３９は表示面９３４ａの中心線、９５０は磁気テープ等の記録媒体である。
【０１７６】
全体的には、撮像レンズ９２１と表示部９３４を重ね合わせた構成を、表示部９３４より見て向かって左に配置し、記録再生部９３１を向かって右に配置している。従って、本実施の形態でのレイアウトは図２０のレイアウトとは異なり、記録再生部９３１が表示部９３４側に、バッテリ９３３は撮像レンズと電気基板の間に配置されている。
【０１７７】
そうしたレイアウトにおいて、三脚ネジ９７０を図２１に示す撮像レンズの空きスペース８４８に収まるように配置している。
【０１７８】
このような第１９の実施の形態によれば、三脚ネジ９７０を、撮像装置の底面に位置してネジを締めるために必要な長さのスペースを、撮像レンズの空きスペース８４８を有効利用することにより確保し、従来例の場合のデッドスペース５０９０´を解消して撮像装置の低背化、小形化が可能になった。
【０１８０】
【発明の効果】
以上説明したように、本発明によれば、無駄なデッドスペースを無くして撮像装置の小形軽量化、薄型化、携帯性および収納性が向上し、コストダウンを実現することができる。
【０１８１】
更に、プリズムの投影寸法内にレンズ構成部品が収まるように構成したので、プリズム投影範囲からのはみ出しを無くしてデッドスペースを解消して、撮像装置の小型軽量化、薄型化、携帯性の向上および収納性の向上を図ることができる。
【０１８２】
更に、撮像レンズ、バッテリ、電気基板、記録再生部等の構成要素を並べ変え、重ね合わせて外形上の凹凸を無くしデッドスペースを解消するように構成したので、撮像装置の外形上の凹凸部分が無くなって薄型化と携帯性および収納性が向上し、三脚使用の撮影時にも記録媒体の着脱が容易になり、パラずれが小さく近くの被写体の撮影もしやすくなって、手指による撮像装置の保持もはるかに楽になるので操作性が向上する。
【０１８３】
更に、撮像に用いるプリズムのミラー反射面と反対側の空間に、撮像装置の構成部品の何れか、マイクユニット、又は表示部の位置可変機構、又は防振ジャイロセンサ、又は表示装置、又は入出力端子、又は操作スイッチ、又はスピーカ、又はリモコン受光部等を配置するように構成したので、プリズムの撮像に用いるミラー反射面と反対側の空間に生ずるデッドスペースを有効利用することによって、撮像装置の小型軽量化、薄型化、携帯性の向上と収納性の向上を実現できる。
【０１８４】
更に、撮像レンズの空きスペースに、レンズ鏡筒と平行に、レンズアクチュエータと並列に、三脚ネジを配置したので、三脚ネジ用のデッドスペースを無くして、撮像装置の低背化と小型化を実現し、三脚取り付け時にも倒れにくく安定した保持が可能になる。
【図面の簡単な説明】
【図１】本発明の第１の実施の形態に係る撮像レンズの説明図である。
【図２】図１に示す撮像レンズの斜視図である。
【図３】図１に示す撮像レンズを用いた撮像装置の説明図である。
【図４】本発明の第２の実施の形態に係る撮像装置の説明図である。
【図５】本発明の第３の実施の形態に係る撮像装置の説明図である。
【図６】本発明の第４の実施の形態に係る撮像装置の説明図である。
【図７】図６に示す撮像装置の撮影時の説明図である。
【図８】本発明の第５の実施の形態に係る撮像装置の説明図である。
【図９】本発明の第６の実施の形態に係る撮像装置の説明図である。
【図１０】本発明の第７の実施の形態に係る撮像装置の説明図である。
【図１１】図１０に示す撮像装置の撮影時の説明図である。
【図１２】本発明の第８の実施の形態に係る撮像装置の説明図である。
【図１３】本発明の第９の実施の形態に係る撮像装置の説明図である。
【図１４】本発明の第１０の実施の形態に係る撮像装置の説明図である。
【図１５】本発明の第１１の実施の形態に係る撮像装置の説明図である。
【図１６】本発明の第１２の実施の形態に係る撮像装置の説明図である。
【図１７】本発明の第１３の実施の形態に係る撮像装置の説明図である。
【図１８】本発明の第１４の実施の形態に係る撮像装置の説明図である。
【図１９】本発明の第１５の実施の形態に係る撮像装置の説明図である。
【図２０】本発明の第１６の実施の形態に係る撮像装置の説明図である。
【図２１】図２０に示す撮像装置の撮像レンズの説明図である。
【図２２】図２０に示す撮像装置に三脚を取り付けた場合の説明図である。
【図２３】本発明の第１７の実施の形態に係る撮像装置の説明図である。
【図２４】本発明の第１８の実施の形態に係る撮像装置の説明図である。
【図２５】本発明の第１９の実施の形態に係る撮像装置の説明図である。
【図２６】従来の撮像レンズの説明図である。
【図２７】図２６に示す撮像レンズを用いた撮像装置の説明図である。
【図２８】従来の反射ミラーを使用しない型の撮像装置の説明図である。
【図２９】従来の表示部を外部に配置した撮像装置の説明図である。
【図３０】図２９に示す撮像装置の撮影時の説明図である。
【図３１】従来の三脚ネジを配置した撮像装置の説明図である。
【符号の説明】
１  レンズ鏡筒
２  プリズム
３  フォーカスモータ
４  ズームモータ
５  ＩＧメータ
９  光軸
１００，１００′，１００″，２００，２００′，２００″，３００，  ３００′，３００″，４００，４００′，５００，６００，７００，８００，８２０，８８０，９００，９２０  撮像装置外装
１０１，１０１′，１０１″，２０１，２０１′，２０１″，３０１，  ３０１′，３０１″，４０１，４０１′，５０１，６０１，７０１，８０１，８２１，８８１，９０１，９２１  撮像レンズ
１０２，１０２′，１０２″，２０２，２０２′，２０２″，３０２，３０２′，３０２″，４０２，４０２′，５０２，６０２，７０２，８０２，８２２，８８２，９０２，９２２  プリズム
１０９，１０９′，１０９″，２０９，２０９′，２０９″，３０９′，３０９″，４０９，４０９′，５０９，６０９，７０９，８０９，８２９，８８９，９０９，９２９  光軸
１１１，１１１′，１１１″，２１１，２１１′，２１１″，３１１，３１１′，３１１″，４１１，４１１′，５１１，６１１，７１１，８１１，８３１  ，８９１，９１１，９３１  ＶＴＲ（記録再生部）
１１２，１１２′，１１２″，２１２，２１２′，２１２″，３１２，３１２′，３１２″，４１２，４１２′，５１２，６１２，７１２，８１２，８３２，８９２，９１２，９３２  電気基板
１１３，１１３′，１１３″，２１３，２１３′，２１３″，３１３，３１３′，３１３″，４１３，４１３′，５１３，６１３，７１３，８１３，８３３，８９３，９１３，９３３  バッテリ
１１４，１１４′，１１４″，２１４，２１４′，２１４″，３１４，３１４′，３１４″，４１４，４１４′，５１４，６１４，７１４，８１４，８３４，８９４，９１４，９３４  表示部
１１９，１１９′，１１９″，２１９，２１９′，２１９″，３１９′，３１９″，４１９，４１９′，５１９，６１９，７１９，８１９，８８９，９１９，９３９  表示面中心線
１３０′  右手
１３１，２３１  接眼レンズ
１３２，２３２  アイカップ
１５０，１５０′，１５０″，２５０，２５０′，２５０″，３５０′，３５０″，４５０，４５０′，５５０，６５０，７５０，８５０，９５０  記録媒体
１６０″  マイクユニット
１８０，２８０  目
２６０″  位置可変機構
３６０″  揺れ検出手段
４６０′  表示部
５６０  入出力端子
６６０  操作スイッチ
７６０  スピーカ
８４８  空きスペース
８６０  赤外リモコン受光部
【図１】
0003780048.tif 000002
【図２】
0003780048.tif 000003
【図３】
0003780048.tif 000004
【図４】
0003780048.tif 000005
【図５】
0003780048.tif 000006
【図６】
0003780048.tif 000007
【図７】
0003780048.tif 000008
【図８】
0003780048.tif 000009
【図９】
0003780048.tif 000010
【図１０】
0003780048.tif 000011
【図１１】
0003780048.tif 000012
【図１２】
0003780048.tif 000013
【図１３】
0003780048.tif 000014
【図１４】
0003780048.tif 000015
【図１５】
0003780048.tif 000016
【図１６】
0003780048.tif 000017
【図１７】
0003780048.tif 000018
【図１８】
0003780048.tif 000019
【図１９】
0003780048.tif 000020
【図２０】
0003780048.tif 000021
【図２１】
0003780048.tif 000022
【図２２】
0003780048.tif 000023
【図２３】
0003780048.tif 000024
【図２４】
0003780048.tif 000025
【図２５】
0003780048.tif 000026
【図２６】
0003780048.tif 000027
【図２７】
0003780048.tif 000028
【図２８】
0003780048.tif 000029
【図２９】
0003780048.tif 000030
【図３０】
0003780048.tif 000031
【図３１】
0003780048.tif 000032